(57)【要約】【課題】全体の高さを低くし得る動物用トイレを提供するという効果を奏する。【解決手段】ペット用トイレ（１Ａ）は、動物が排泄したときの排泄物を受ける排泄物受け容器（１６）、及び排泄物受け容器（１６）を載置するスライド枠（１７）を有する尿トレー（１９）と、側面開口（１３ａ）及び上面開口を有し、側面開口（１３ａ）から内部に挿入される尿トレー（１９）をスライド可能に支持する本体容器（１３）と、本体容器（１３）に載置され、かつ排泄時の動物を支持し、動物が排尿したときの尿を通過させて下方に位置する尿トレー（１９）の排泄物受け容器（１６）に落下させるスリット（２３）を底面（２１）に有する支持台（２０）とを備えている。尿トレー（１９）におけるスライド枠（１７）の上面には、排泄物受け容器（１６）を重量測定可能に支えるロードセル（４１）が設けられている。【選択図】図１
2019115272.tif 000002
【特許請求の範囲】
【請求項１】
動物が排泄したときの排泄物を受ける排泄物容器、及び前記排泄物容器を載置する載置部材を有する排泄物トレーと、
側面開口及び上面開口を有し、該側面開口から内部に挿入される前記排泄物トレーをスライド可能に支持する本体容器と、
前記本体容器に載置され、かつ排泄時の動物を支持し、動物が排尿したときの尿を通過させて下方に位置する前記排泄物トレーの排泄物容器に落下させる尿通過開口を底面に有する支持台とを備えていると共に、
前記排泄物トレーにおける載置部材の上面には、前記排泄物容器を重量測定可能に支える重量計が設けられていることを特徴とする動物用トイレ。
【請求項２】
前記載置部材の上面には、複数個の重量計が設けられていることを特徴とする請求項１に記載の動物用トイレ。
【請求項３】
前記載置部材は中央部に中央開口部が形成された方形枠状体に形成されており、
前記重量計は、前記載置部材の４隅の上面に設けられていることを特徴とする請求項２に記載の動物用トイレ。
【請求項４】
前記載置部材は有底に形成され、底の上面に少なくとも１個の前記重量計が設けられていることを特徴とする請求項１に記載の動物用トイレ。
【請求項５】
前記重量計は、ロードセルを有していることを特徴とする請求項１〜４のいずれか１項に記載の動物用トイレ。
【発明の詳細な説明】
【技術分野】
【０００１】
本発明は、動物が排泄したときの排泄物の重量を測定し得る動物用トイレに関するものである。
【背景技術】
【０００２】
動物が排泄したときの排泄物の重量を測定し得る動物用トイレとして、例えば特許文献１に開示された動物用トイレが公知となっている。特許文献１に開示された動物用トイレは、ペットが載る支持台と、支持台の下方に位置するようにスライドさせて本体容器内にセットされる排泄トレーと、排泄トレーの下方に配置されている重量計とを備えている。重量計は、本体容器内にて排泄トレーを下方から持ち上げるように支持する。
【０００３】
前記動物用トイレでは、支持台に乗ったペットが排尿をしたときの尿を排泄トレーで受ける。そして、重量計にて、尿を受けた排泄トレーの重量増加分を計測することによって、ペットが排泄した尿の重量を計測することができるようになっている。
【先行技術文献】
【特許文献】
【０００４】
【特許文献１】特開２０１７‐１５３４００号公報（２０１７年９月７日公開）
【発明の概要】
【発明が解決しようとする課題】
【０００５】
しかしながら、前記従来の動物用トイレでは、重量計が排泄トレーの下方に配置されているので、全体の高さが高くなるという問題点を有している。
【０００６】
本発明の一態様は、前記従来の問題点に鑑みなされたものであって、その目的は、全体の高さを低くし得る動物用トイレを提供することにある。
【課題を解決するための手段】
【０００７】
本発明の一態様における動物用トイレは、前記の課題を解決するために、動物が排泄したときの排泄物を受ける排泄物容器、及び前記排泄物容器を載置する載置部材を有する排泄物トレーと、側面開口及び上面開口を有し、該側面開口から内部に挿入される前記排泄物トレーをスライド可能に支持する本体容器と、前記本体容器に載置され、かつ排泄時の動物を支持し、動物が排尿したときの尿を通過させて下方に位置する前記排泄物トレーの排泄物容器に落下させる尿通過開口を底面に有する支持台とを備えていると共に、前記排泄物トレーにおける載置部材の上面には、前記排泄物容器を重量測定可能に支える重量計が設けられていることを特徴としている。
【発明の効果】
【０００８】
本発明の一態様によれば、全体の高さを低くし得る動物用トイレを提供するという効果を奏する。
【図面の簡単な説明】
【０００９】
【図１】本発明の実施形態１における動物用トイレとしてのペット用トイレの構成を示す分解斜視図である。
【図２】（ａ）は前記ペット用トイレの全体構成を示す平面図であり、（ｂ）は前記ペット用トイレの全体構成を示す左側面図であり、（ｃ）は前記ペット用トイレの全体構成を示す右側面図であり、（ｄ）は前記ペット用トイレの全体構成を示す正面図である。
【図３】前記ペット用トイレの全体構成を示す断面図である。
【図４】前記ペット用トイレにおける制御装置の構成を表すブロック図である。
【図５】本発明の実施形態２におけるペット用トイレの構成を示すものであって、排泄トレーの構成を示す分解斜視図である。
【図６】前記ペット用トイレの全体構成を示す断面図である。
【図７】本発明の実施形態２における変形例のペット用トイレの構成を示すものであって、排泄トレーの構成を示す分解斜視図である。
【図８】前記ペット用トイレの変形例の全体構成を示す断面図である。
【発明を実施するための形態】
【００１０】
〔実施の形態１〕
本発明の一実施形態について図１〜図４に基づいて説明すれば、以下のとおりである。
【００１１】
本実施の形態のペット用トイレは、動物用トイレの一例である。本実施の形態のペット用トイレは、家庭で飼われる動物である例えば猫、犬等のペットが排尿するときに使用されるものである。ただし、前記動物用トイレは、必ずしも猫、犬等の動物に限らず他の動物にも適用することができる。本実施形態では、ペットの健康管理のために、排尿量や排尿回数を測定する機能を有しているペット用トイレについて説明する。
【００１２】
本実施の形態のペット用トイレ１Ａの構成について、図１〜図３に基づいて説明する。図１は、本実施の形態におけるペット用トイレ１Ａの構成を示す分解斜視図である。図２の（ａ）は、ペット用トイレ１Ａの全体構成を示す平面図である。図２の（ｂ）は、ペット用トイレ１Ａの全体構成を示す左側面図である。図２の（ｃ）は、ペット用トイレ１Ａの全体構成を示す右側面図である。図２の（ｄ）は、ペット用トイレ１Ａの全体構成を示す正面図である。図３は、ペット用トイレ１Ａの構成を示す断面図である。
【００１３】
本実施の形態のペット用トイレ１Ａは、図１及び図２に示すように、脚台１１、本体容器１３、支持台２０、上面フレーム１４、排泄物トレーとしての尿トレー１９及び重量計４０を有している。また、ペット用トイレ１Ａは、後述する図４に示す制御装置３０を有している。尚、ペット用トイレ１Ａは、支持台２０及び上面フレーム１４を覆う図示しないカバーを有していてもよい。
【００１４】
脚台１１は、下面の４隅に脚１１ａを有している。脚台１１は、本体容器１３が載置されることにより、本体容器１３を支持している。
【００１５】
本体容器１３は、内部が空洞となっており、上面及び下面、並びに側面が開口となっている。図１及び図３に示すように、本体容器１３の上面縁には、動物であるペットが乗る支持台２０が載置されるようになっている。また、本体容器１３の下側には、尿トレー１９が本体容器１３にスライドさせて挿入できるように設けられている。
【００１６】
支持台２０は、動物がそこに乗り、排泄をする容器形状の台である。支持台２０は、本体容器１３の上面開口から挿入されると共に、本体容器１３の上面縁に載置されて該本体容器１３に支持される。支持台２０の上面縁には、枠状の前記上面フレーム１４が搭載される。支持台２０の底面２１には、複数の尿通過開口としてのスリット２３を含むメッシュ２２が形成されている。メッシュ２２の上方側から排泄された動物の排泄物（ここでは尿）は、スリット２３を通過して、支持台２０の底面２１に対向配置されている下方の尿トレー１９に落ちる。
【００１７】
スリット２３は、液体は通過させるが、糞及び動物が咥えてきた物体（おもちゃ）等は通過させない。本実施の形態では、支持台２０の底面２１は平坦であり、底面２１の全面にメッシュ２２が設けられている。ただし、メッシュ２２は、底面２１の一部にのみ設けられていてもよい。
【００１８】
尚、支持台２０には、メッシュ２２の代わりに、排泄物が通過する他の形状の開口が形成されていてもよい。また、支持台２０は、前述したように、本実施形態では凹型の容器形状であるが、支持台２０の形状は任意である。さらに、支持台２０が支持する別の部材に動物が載る構成であってもよい。
【００１９】
さらに、支持台２０には、例えば撥水性を有する礫、砂又はガラスビーズ等の充填材が充填されていてもよい。支持台２０自体も、尿が付着して溜まらないように、かつ尿が流れ易いように、撥水性を有していてもよい。
【００２０】
尿トレー１９は、図１に示すように、排泄物容器としての排泄物受け容器１６と、載置部材としてのスライド枠１７とを有している。
【００２１】
排泄物受け容器１６は、動物が排尿したときの尿を受ける器である。排泄物受け容器１６の底１６ａには吸収シート１８が敷かれている。これにより、動物が排尿したときに、吸収シート１８にて尿を保持すると共に、尿の重量測定後、吸収シート１８を新しいものに取り替えることによって、該尿を容易に捨てることが可能となる。尚、吸収シート１８は、例えば、吸水性樹脂を含んだ吸水性の高い保持体が好ましいが、保持体としては、必ずしもこれに限らず、例えば、スポンジや紙等の液体を吸液できるものであればよい。
【００２２】
このように、排泄物受け容器１６は着脱可能であるため、本体容器１３から尿トレー１９を取り外し、吸収シート１８を除去した後、清掃することができる。この結果、排泄物受け容器１６を容易に清潔に保つことができるため、利便性が高いペット用トイレ１Ａを得ることができる。
【００２３】
スライド枠１７は、皿状の排泄物受け容器１６を載置して支えるものであり、本実施の形態では、中央に中央開口部１７ａを有して方形の枠状に形成されている。このため、スライド枠１７の中央開口部１７ａに排泄物受け容器１６が上側から挿入されることによって、排泄物受け容器１６がスライド枠１７に搭載される。
【００２４】
図１及び図３に示すように、尿トレー１９は、本体容器１３に着脱可能に設けられており、本体容器１３の側面に形成された側面開口１３ａから本体容器１３内にスライドさせて挿入される。これにより、尿トレー１９は、本体容器１３に搭載された支持台２０の底面２１における下方に配置される。すなわち、尿トレー１９は、本体容器１３に搭載された支持台２０の底面２１と対向配置される。尚、排泄物受け容器１６の吸収シート１８を交換する場合には、本体容器１３に装着された尿トレー１９を、側面開口１３ａからスライドさせて引き出す。これによって、本体容器１３に装着された尿トレー１９を本体容器１３から取り外して、吸収シート１８を容易に交換することが可能である。
【００２５】
重量計４０は、排泄物受け容器１６の吸収シート１８の尿の量を計量するものであり、本実施の形態では、ロードセル４１を有して構成されている。ロードセルは、荷重の大きさを電気信号に変える変換器であり、動物の尿の重量を容易に測定することができる。
【００２６】
尚、ロードセル４１としては、ばね式、圧電素子式若しくは磁歪式ロードセル、又は静電容量型ロードセル、ジャイロ式ロードセル、歪ゲージ式ロードセル等も適用可能である。また、重量計４０としては、電磁平衡式センサ又は音叉センサ等のロードセル以外の重量計も適用可能である。
【００２７】
ここで、本実施の形態では、重量計４０は、尿トレー１９におけるスライド枠１７の上面に設けられている。この結果、排泄物受け容器１６はロードセル４１を介してスライド枠１７に載置されており、ロードセル４１は排泄物受け容器１６を重量測定可能に支えている。これによって、ロードセル４１は、尿トレー１９のスライド枠１７と排泄物受け容器１６との間に内蔵されていることになる。従来、尿トレー１９のスライド枠１７と排泄物受け容器１６との間は、排泄物受け容器１６を浮かせるために空間となっていた部分である。このため、本実施の形態においては、従来、空間となっていた部分にロードセル４１を配設している。したがって、本実施の形態のペット用トイレ１Ａは、従来に比べて、ペット用トイレ１Ａの全体の高さを小さくするものとなっている。
【００２８】
また、本実施の形態では、ロードセル４１は、方形枠状体からなるスライド枠１７の４隅の上面にそれぞれ設けられており、合計４個のロードセル４１が設けられている。
【００２９】
これにより、４個のロードセル４１にて排泄物受け容器１６をバランス良く支えることができる。
【００３０】
本実施の形態では、ロードセル４１での重量測定を制御するために、制御装置３０を備えている。この制御装置３０は、図３に示すように、脚台１１の裏面において基板として設けられている。ただし、基板は、裏面に限らず、脚台１１の上面でもよい。制御装置３０は、尿トレー１９が本体容器１３に挿入されたときに、ロードセル４１の図示しない端子が、制御装置３０から延設された図示しない端子に導通されることにより、電源及び信号の通信が可能となっている。
【００３１】
制御装置３０の構成について、図４に基づいて説明する。図４は、本実施の形態のペット用トイレ１Ａにおける制御装置３０の構成を表すブロック図である。
【００３２】
本実施の形態の制御装置３０は、重量計４０の駆動を制御したり、重量計４０から出力される電気信号を入力したりする。
【００３３】
図４に示すように、制御装置３０は、電源部３１と、センサ駆動部３２と、制御部３３と、記憶部３４と、通信部３５とを備えている。
【００３４】
電源部３１は、制御装置３０の各センサ駆動部３２、制御部３３、記憶部３４及び通信部３５に電源を供給する。尚、電源部３１は、例えば電池であってもよい。
【００３５】
センサ駆動部３２は、重量計４０が計測した重量の値（計測値）を示す電気信号を入力する。具体的には、センサ駆動部３２は、重量計４０に電源を供給させ、重量計４０を動作させる。また、センサ駆動部３２は、重量計４０からの計測値を受け取る。より詳細には、センサ駆動部３２は、犬、猫等のペット用トイレ１Ａに入ってきたことを検知すると、重量計４０に計測を行わせる。そして、受け取った計測値を示す情報を制御部３３に出力する。
【００３６】
制御部３３は、犬、猫等のペットが排泄した尿の重量を求める。ここで、本実施の形態では、一例として重量計４０からの計測値は、尿を含む吸収シート１８及び排泄物受け容器１６の全体の重量を表している。このため、制御部３３は、現在の吸収シート１８及び排泄物受け容器１６の重量から、尿を吸収していない吸収シート１８と排泄物受け容器１６との重量を減算して、吸収シート１８に吸収された尿量を求める。尚、尿を吸収していない吸収シート１８及び排泄物受け容器１６の重量は、記憶部３４に予め格納されている。また、この重量は、吸収シート１８を取り替えたときに測定した重量を記憶しておいてもよい。
【００３７】
そして、制御部３３は、計測した排泄タイミングと尿の重量とに関するデータを記憶部３４に記憶する。或いは、制御部３３は、記憶部３４に記憶された前記データを通信部３５から犬、猫等の飼い主が所持する端末装置に送信してもよい。これにより、犬、猫等の飼い主は、記憶された排泄タイミング（回数）や排泄された尿の重量をチェックすることによって犬、猫等の健康状態を把握することができる。
【００３８】
前述した構成を備えたペット用トイレ１Ａにおけるに尿重量の測定方法について、以下に説明する。
【００３９】
図１に示すように、図示しない犬、猫等のペットが支持台２０に乗り、排尿すると、尿は支持台２０のスリット２３を通して、尿トレー１９の排泄物受け容器１６に落下し、吸収シート１８に保持される。
【００４０】
これにより、制御装置３０のセンサ駆動部３２は、重量計４０であるロードセル４１が計測した重量の値（計測値）を示す電気信号を入力し、受け取った計測値を示す情報を制御部３３に出力する。
【００４１】
制御部３３は、犬、猫等のペットが排泄した尿の重量を求める。尚、本実施の形態では、重量計４０として４個のロードセル４１を使用しているので、４個のロードセル４１の重量値の合計が概ね全重量値となる。すなわち、４個のロードセル４１から出力される信号を演算して重量値を求めるので、単純な合計とはならない。
【００４２】
ここで、重量計４０からの計測値は、尿を含む吸収シート１８及び排泄物受け容器１６の全体の重量を表している。このため、制御部３３は、現在の吸収シート１８及び排泄物受け容器１６の重量から、尿を吸収していない吸収シート１８と排泄物受け容器１６との重量を減算して、吸収シート１８に吸収された尿量を求める。尚、尿を吸収していない吸収シート１８及び排泄物受け容器１６の重量は、記憶部３４に予め格納されている。
【００４３】
例えば、ペットである猫は、１日に２〜３回排尿し、体重１ｋｇ当たり２０〜３０ｇ／日の排尿量がある。そして、成猫の体重は３〜５ｋｇであるので、通常１日当たり６０〜１５０ｇの排尿量があるが、病気等になると一般的に排尿回数や排尿量が少なくなる傾向がある。このため、本実施の形態のペット用トイレ１Ａでは、猫等のペットが排尿する回数や重量を計測することにより、猫等の健康状態を知ることができる。また、記憶部３４に、毎回の測定値を記憶させておくことにより、排泄物受け容器１６の吸収シート１８を取り替えなくても、継続して、次回の尿重量を測定することが可能である。
【００４４】
このように、本実施の形態の動物用トイレとしてのペット用トイレ１Ａは、動物が排泄したときの排泄物を受ける排泄物容器としての排泄物受け容器１６、及び排泄物受け容器１６を載置する載置部材としてのスライド枠１７を有する排泄物トレーとしての尿トレー１９と、側面開口１３ａ及び上面開口を有し、側面開口１３ａから内部に挿入される尿トレー１９をスライド可能に支持する本体容器１３と、本体容器１３に載置され、かつ排泄時の動物を支持し、動物が排尿したときの尿を通過させて下方に位置する尿トレー１９の排泄物受け容器１６に落下させる尿通過開口としてのスリット２３を底面２１に有する支持台としての支持台２０とを備えている。そして、尿トレー１９におけるスライド枠１７の上面には、排泄物受け容器１６を重量測定可能に支える重量計４０が設けられている。
【００４５】
これにより、排泄物受け容器１６は重量計４０を介してスライド枠１７に載置されており、重量計４０は排泄物受け容器１６を重量測定可能に支えている。この結果、重量計４０は、尿トレー１９のスライド枠１７と排泄物受け容器１６との間に内蔵されている。ここで、尿トレー１９のスライド枠１７と排泄物受け容器１６との間は、従来、排泄物受け容器１６を浮かせるために空間となっていた部分である。そして、本実施の形態では、従来、空間となっていた部分に重量計４０を配設している。したがって、本実施の形態におけるペット用トイレ１Ａは、従来に比べて、動物用トイレの全体の高さを小さくするものとなっている。それゆえ、全体の高さを低くし得るペット用トイレ１Ａを提供することができる。さらに、従来存在した排泄物受け容器を浮かせるという複雑な構成を排除できるという利点がある。
【００４６】
また、本実施の形態におけるペット用トイレ１Ａでは、スライド枠１７の上面には、複数個の重量計４０としてのロードセル４１が設けられている。具体的には、スライド枠１７は中央部に中央開口部１７ａが形成された方形枠状体に形成されており、ロードセル４１は、スライド枠１７の４隅の上面に設けられている。これにより、４個のロードセル４１にて排泄物受け容器１６をバランス良く支えることができる。
【００４７】
また、本実施の形態におけるペット用トイレ１Ａでは、重量計４０はロードセル４１を有している。すなわち、ロードセル４１は、荷重の大きさを電気信号に変える変換器である。この結果、重量計４０としてのロードセル４１を用いることによって、動物の尿の重量を容易に測定することができる。
【００４８】
〔実施の形態２〕
本発明の他の実施の形態について図４〜図８に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００４９】
本実施の形態の動物用トイレとしてのペット用トイレ１Ｂは、前記実施の形態１のペット用トイレ１Ａのスライド枠１７の構成に代えて、排泄物トレーを構成する載置部材が有底のスライド部材５７からなっている点が異なっている。
【００５０】
本実施の形態における動物用トイレとしてのペット用トイレ１Ｂの構成について、図５及び図６に基づいて説明する。図５は、本実施の形態におけるペット用トイレ１Ｂの構成を示すものであって、尿トレー５９の構成を示す分解斜視図である。図６は、ペット用トイレ１Ｂの全体構成を示す断面図である。
【００５１】
図５及び図６に示すように、本実施の形態におけるペット用トイレ１Ｂでは、載置部材としてのスライド部材５７にはスライド部材底５７ａが形成され、スライド部材底５７ａの上面に重量計４０としての１個のロードセル４２が設けられている。
【００５２】
すなわち、載置部材としてのスライド部材５７が有底に形成されている場合には、重量計４０をスライド部材底５７ａの上面に設けることが可能である。この場合、重量計４０としてのロードセル４２の個数は１個でもよい。
【００５３】
これにより、排泄物受け容器１６を１個のロードセル４２にてバランス良く支えることによって、重量測定可能となる。
【００５４】
尚、本発明の一態様においては、前記構成に限定されるものではなく、本発明の一態様の範囲内で種々の変更が可能である。例えば、前述した説明では、スライド部材５７のスライド部材底５７ａの上面に１個のロードセル４２を設けたが、特にこれに限定するものではない。
【００５５】
例えば、図７及び図８に示すように、スライド部材５７のスライド部材底５７ａの上面に例えば４個のロードセル４４を設けたペット用トイレ１Ｂ’とすることが可能である。このように、重量計４０の個数を２個以上の複数とすることによって、排泄物受け容器１６を容易にバランス良く支えて重量測定可能とすることができる。
【００５６】
尚、上記の各実施形態では、排泄物の重量のみを測定する構成について説明したが、ペットの体重も測定できる構成としてもよい。その場合、各実施の形態において、本体容器１３を支持する脚１１ａの代わりに重量センサを配置する構成とすればよい。この構成によって、ペットが支持台２０に乗った際に、本体容器１３を介して重量センサにより重量増加分としてペットの体重を計測することが可能となる。
【００５７】
〔まとめ〕
本発明の態様１における動物用トイレ（ペット用トイレ１Ａ・１Ｂ・１Ｂ’）は、動物が排泄したときの排泄物を受ける排泄物容器（排泄物受け容器１６）、及び前記排泄物容器（排泄物受け容器１６）を載置する載置部材（スライド枠１７・スライド部材５７）を有する排泄物トレー（尿トレー１９・５９）と、側面開口１３ａ及び上面開口を有し、該側面開口１３ａから内部に挿入される前記排泄物トレー（尿トレー１９・５９）をスライド可能に支持する本体容器１３と、前記本体容器１３に載置され、かつ排泄時の動物を支持し、動物が排尿したときの尿を通過させて下方に位置する前記排泄物トレー（尿トレー１９・５９）の排泄物容器（排泄物受け容器１６）に落下させる尿通過開口（スリット２３）を底面２１に有する支持台２０とを備えていると共に、前記排泄物トレー（尿トレー１９・５９）における載置部材（スライド枠１７・スライド部材５７）の上面には、前記排泄物容器（排泄物受け容器１６）を重量測定可能に支える重量計４０（ロードセル４１〜４３）が設けられていることを特徴としている。
【００５８】
前記の構成によれば、動物用トイレは、物が排泄したときの排泄物を受ける排泄物容器、及び前記排泄物容器を載置する載置部材を有する排泄物トレーと、側面開口及び上面開口を有し、該側面開口から内部に挿入される前記排泄物トレーをスライド可能に支持する本体容器と、前記本体容器に載置され、かつ排泄時の動物を支持し、動物が排尿したときの尿を通過させて下方に位置する前記排泄物トレーの排泄物容器に落下させる尿通過開口を底面に有する支持台とを備えている。
【００５９】
この種の動物用トイレでは、従来、排泄物トレーの下側に重量計が設けられていたので、動物用トイレの全体の高さが高くなっていた。
【００６０】
これに対して、本発明の一態様における動物用トイレでは、重量計は、排泄物トレーにおける載置部材の上面に設けられている。このため、排泄物容器は重量計を介して載置部材に載置されており、重量計は排泄物容器を重量測定可能に支えている。
【００６１】
この結果、重量計は、排泄物トレーの載置部材と排泄物容器との間に内蔵されている。ここで、排泄物トレーの載置部材と排泄物容器との間は、従来、空間となっていた部分であり、本発明の一態様においては、従来、空間となっていた部分に重量計を配設している。したがって、本発明の一態様における動物用トイレは、従来に比べて、動物用トイレの全体の高さを小さくするものとなっている。
【００６２】
それゆえ、全体の高さを低くし得る動物用トイレを提供することができる。
【００６３】
本発明の態様２における動物用トイレ（ペット用トイレ１Ａ）では、前記載置部材（スライド枠１７）の上面には、複数個の重量計４０（ロードセル４１）が設けられているとすることができる。
【００６４】
これにより、例えば、載置部材に底が無い方形枠状体である場合に、例えば、載置部材の４隅の上面に複数として例えば４個の重量計を設けることができる。
【００６５】
本発明の態様３における動物用トイレ（ペット用トイレ１Ａ）では、前記載置部材（スライド枠１７）は中央部に中央開口部１７ａが形成された方形枠状体に形成されており、前記重量計４０（ロードセル４１）は、前記載置部材（スライド枠１７）の４隅の上面に設けられているとすることができる。
【００６６】
これにより、載置部材に底が無い方形枠状体である場合に、載置部材の４隅の上面に複数として４個の重量計を設けることができる。また、これにより、４個の重量計にて排泄物容器をバランス良く支えることができる。
【００６７】
本発明の態様４における動物用トイレ（ペット用トイレ１Ｂ・１Ｂ’）では、前記載置部材（スライド部材５７）は有底（スライド部材底５７ａ）に形成され、底（スライド部材底５７ａ）の上面に少なくとも１個の前記重量計４０（ロードセル４２・４３）が設けられているとすることができる。
【００６８】
これにより、載置部材が有底に形成されている場合には、重量計を底の上面に設けることが可能である。この場合、重量計の個数は１個でもよい。これにより、排泄物容器を１個の重量計にてバランス良く支えることによって、重量測定可能となる。また、重量計の個数を複数とすることによって、排泄物容器を容易にバランス良く支えて重量測定可能とすることができる。
【００６９】
本発明の態様５における動物用トイレ（ペット用トイレ１Ａ・１Ｂ・１Ｂ’）では、前記重量計４０は、ロードセル４１・４２・４３を有しているとすることができる。
【００７０】
ロードセルは、荷重の大きさを電気信号に変える変換器である。この結果、重量計としてのロードセルを用いることによって、動物の尿の重量を容易に測定することができる。
【００７１】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７２】
１Ａ          ペット用トイレ（動物用トイレ）
１Ｂ・１Ｂ’  ペット用トイレ（動物用トイレ）
１１            脚台
１３            本体容器
１３ａ          側面開口
１４            上面フレーム
１６            排泄物受け容器（排泄物容器）
１７            スライド枠（載置部材）
１７ａ          中央開口部
１８            吸収シート
１９            尿トレー（排泄物トレー）
２０            支持台
２１            底面
２２            メッシュ
２３            スリット（尿通過開口）
３０            制御装置
３１            電源部
３２            センサ駆動部
３３            制御部
３４            記憶部
３５            通信部
４０            重量計
４１〜４３      ロードセル（重量計）
５７            スライド部材（載置部材）
５７ａ          スライド部材底
５９            尿トレー（排泄物トレー）
【図１】
2019115272.tif 000003
【図２】
2019115272.tif 000004
【図３】
2019115272.tif 000005
【図４】
2019115272.tif 000006
【図５】
2019115272.tif 000007
【図６】
2019115272.tif 000008
【図７】
2019115272.tif 000009
【図８】
2019115272.tif 000010